Podtech/llm-jp-corpus-v4-ja_patent huggingface dataset:
(57)【要約】【課題】装置の小型化、構造の簡素化、製造を簡単にし、高い発電効率の水力発電装置を提供する。【解決手段】水管の外にステータ１０設置し、漏斗の入水口とモータの入水口の断面積の違いと本体ケースの整流効果により排水効率を高      めることにより内部を通る水流を速め、一体化した羽根７とバックヨーク8と磁石９を効率良く回転運動させる事により発電する。それ  により部品数が少なくなり、小型化、製造の簡素化出来る発電機となり、都市部周辺の河川以外に排水処理施設の貯水槽の水圧による水    流も利用でき配管等にも設置できる。 【提出物件の目録】【選択図】  図１
2013007290.tif 000002
【特許請求の範囲】
【請求項１】
断面積の大きい入水口から絞り込んだ断面積の小さいモータ入水口を持つ漏斗の形状で水流を加速し、水流を効率良く回転運動に変えて
発電する。
【請求項２】
モータ内部に直線上に羽根を数枚付け、その羽根を外側のバックヨークと磁石を一体化させ回転させ、水管の外側に設置したステータに  
より発電する。
【請求項３】
流線形の整流効果を持つ本体ケースで水の流れを良くして排水口からの排水効率を高める。
【発明の詳細な説明】
【技術分野】
【０００１】
水力発電
【背景技術】
【０００２】
従来の水力発電機はダムが主流である。
【０００３】
従来の発明では水管の中にボスを起きガイドベーンで水流を導き羽根を回し発電する。  （特許文献１。）
【０００４】
従来の発明では漏斗形状で水流を管内部に導いているが、管内部に羽根付きのモータが置いている。  （実用新案文献１。）
【先行技術文献】
【特許文献】
【０００５】
【特許文献１】特開2006-189014号公報
【特許文献２】登録実用新案第3157842号
【発明の概要】
【発明が解決しようとする課題】
【０００６】
以上の発明では建設費が大きく都市部までの送電線も長距離必要であり、環境問題も大きい。
【０００７】
以上の発明では水管内のボスとベーンで水流を加速している羽根に、より高回転を与え発電したい。
【０００８】
以上の発明では漏斗で水流を集めているが水管中のモータの設置が水流の流れの抵抗になる。
【課題を解決するための手段】
【０００９】
本発明は高低差の水流を使わず、都市部周辺の河川にも設置でき汚水処理場の貯水槽の水圧を利用できる為、長距離の送電線を必要とし
ない。  
【００１０】
大きい断面積の漏斗の入水口から断面積の小さいモータ入水口の水流の速度は断面積に反比例するため断面積の大きい漏斗で水流を加速
させてからモータ内部の羽根を回転させ発電する。  
【００１１】
管内部に羽根以外を置かずの水流を効率良く回転運動に変える。
【００１２】
流線形の本体ケースの整流効果により排水口の排水効率を高める。
【発明の効果】
【００１３】
小型化出来るため一定の水流を有する都市部の河川や汚水処理場の貯水槽に設置出来、送電による電力ロスを抑える事ができる。
【００１４】
大きい断面積の漏斗の入水口から断面積の小さいモータ入水口に絞り込んだ漏斗と整流効果を高めた本体ケースにより高い排水効率で速  
めた水流で発電出来るため、部品数を少なく発電機自体を小型化できる。
【００１５】
水管内に羽根以外に余計なものが無いため、水流を羽根の回転の効率を高められる。
【図面の簡単な説明】
【００１６】
【図１】全体図
【図２】モータの側面図
【図３】モータの正面図
【発明を実施するための形態】
【００１７】
以下、本発明の実施の形態を図１〜図３に基づいて説明する。
【００１８】
図に置いて１は漏斗、２はモータ、３はケースである。４、５、６は水流の流れを表す。
【００１９】
４で取り込まれた水流は５で加速し２のモータ内の７の羽根を回し６に抜ける。
【００２０】
羽根７の外周部にロータ８、磁石９が付き回転する事によりステータ１０で発電する。
【００２１】
本体ケース３は流線形とし水流を後方に流れ易くし排水口６からの排水効率を高める。
【符号の説明】
【００２２】
１    漏斗
２    モータ
３    本体ケース
４    本体入水口
５    モータ入水口
６    排水口
７    羽根
８    バックヨーク
９    磁石
１０  ステータ
１１  ベアリング
【図１】
2013007290.tif 000003
【図２】
2013007290.tif 000004
【図３】
2013007290.tif 000005
(57)【要約】      （修正有）【課題】家庭用カメラの手ぶれ防止で、船酔い現象を発現する低周期の揺らぎを排除する。【解決手段】底辺のＢ及びＣ頂角部を、腰ベルト又は首から下げた紐で保持した折りたたみ可能な、三角形状支柱交点のＡ頂角部に肘を安定的に支える肘置き１を結合する。肘置き１は折りたたんだ支柱に沿って伸展可能とする一方、展開した支柱と回転制限機構を設け、肘を安定的に支え受ける角度を保つ。肘置き１には肘を載せる平坦部を設け、加重を受ける作用点と支柱に結合する支点をずらして使用中の安定を図る。【選択図】図１
2013240025.tif 000002
【特許請求の範囲】
【請求項１】
角度調整可能な２本の支柱の交点Ａに回転制限付きにヒンジ結合した肘置き１。
【請求項２】
肘置きからの荷重をブラケットに伝達し、伸縮可能とした支柱ＡＢ２及び支柱ＡＣ３。
【請求項３】
２本の支柱が前方に回転して下垂を可能とし、首から下げた紐と腰ベルトに装着可能とするＵ型ブラケット４。
【請求項４】
２本の支柱と３角形を成し、腹部の曲線に追従する可撓性ベルト５。
【発明の詳細な説明】
【技術分野】
【０００１】本発明は家庭用小型ビデオカメラ本体がキャンセルを苦手とする低周期，大振幅ブレを回避し、同時に腕の疲労を軽減する小型ビデオカメラ撮影補助器に関する。
【背景技術】
【０００２】家庭用小型ビデオカメラが具備する手ぶれキャンセル機構は、主に手首から先で生じる振動周期を得意とするが、肘を含んだ振れをキャンセルすることは苦手であった。
【発明の概要】
【発明が解決しようとする課題】
【０００３】カメラを持つ腕が振れることに起因する低周期の揺れは、多くの視聴者が船酔い状態を発現し、家族ビデオ鑑賞の隠れた問題で有った。
【課題を解決するための手段】
【０００４】カメラを保持した腕を腰ベルト又は首から下げた三角形状の器具に肘を載せ、肘の安定を確保して上下左右の振れを軽減する。
【発明の効果】
【０００５】肘を身体に固定すれば位置が低すぎる肘を、任意の高さで安定的に固定出来る。【０００６】明るい屋外では視認困難な液晶モニターからプロが行うファインダーでのモニタリングへの移行が容易となる。【０００７】従来の一脚，三脚では自由度の少ない俯角，仰角の大幅なアングル変更や目前の移動体追尾も上半身の動きの限界迄可能と為る。
【図面の簡単な説明】
【０００８】
【図１】本発明の正面図（人体側）である。
【図２】腰ベルト部分の断面である。
【発明を実施するための形態】
【０００９】底辺のＢ及びＣ頂角部を、腰ベルト又は首から下げた紐で保持した折りたたみ可能な三角形状支柱交点のＡ頂角部に、安定的に肘を支える肘置き１を結合する。
【００１０】Ｂ，Ｃ頂角部は、腰ベルト単品又はズボン等を掴む探いＵ型ブラケット４に蝶番結合し、支柱の下垂も可能とする。
【００１１】Ｕ型ブラケット４の身体側は、保持力充分な腰ベルトを装着しない場合の懸垂紐を結合可能にし、身体に分散荷重と為る様パッド状とする。
【００１２】２本の支柱をヒンジ結合したＡ頂角部にヒンジ結合した肘置き１は、折りたたんだ支柱ＡＢ、ＡＣに沿って伸展可能とする一方、展開した支柱ＡＣと回転制限機構を設け、肘を安定的に支え受ける角度を保つ。
【００１３】肘置き１は肘を載せる平坦部を設け、荷重を受ける作用点と支柱に結合する支点をずらして使用中の安定を図る。
【００１４】底辺Ｂ，Ｃを結ぶ可撓性ベルト５は、体型に追従する材質で、１方をヒンジ、他方を脱着自在とする。
【００１５】支柱ＡＢ２及び支柱ＡＣ３は公知の伸縮自在とし、使用者の体型に追従する。
【００１６】懸垂紐は公知の方法で伸縮自在とし、使用者の体型に追従する。
【符号の説明】
【００１７】１  肘置き
２  支柱ＡＢ
３  支柱ＡＣ
４  Ｕ型ブラケット
５  可撓性ベルト
【図１】
2013240025.tif 000003
【図２】
2013240025.tif 000004
(57)【要約】【課題】  本発明は、訪れたユーザーの希望する独自性の意匠的な、オリジナル装飾を、携帯電話用（スマートホーン等）のカバーケースに施した技術を提供する。【解決手段】  蛍光材を含有した樹脂ペレットにて、蓋形状に成型された蛍光材含有カバーケース（２）を設ける。さらにこの該ケースにオリジナルデザインとしての独創的な蛍光装飾プリント（３）を施して設ける。このように形成された蛍光材含有カバーケース（２）を、スマートホーン（１）等に被せて装着する。【選択図】図１
2013240028.tif 000002
【特許請求の範囲】
【請求項１】
蛍光材を含有した樹脂ペレットにて、蓋形状に成型された蛍光材含有カバーケース（２）を設け、さらにこの該ケースにオリジナルデザインとしての独創的な蛍光装飾プリント（３）を施して設け、このように形成された蛍光材含有カバーケース（２）を、スマートホーン（１）等に被せて装着する、このような特徴よりなる、蛍光材等を利用した装飾携帯電話ケース。
【発明の詳細な説明】
【技術分野】
【０００１】  本発明は、スマートホーン（１）等を破損から保護するだけでなく、オシャレなメイクアップ品として装飾デザインを施し、さらに蛍光材を活用した、携帯電話ケースの加工装飾技術に関するものである。【０００２】  従来、携帯電話は大量生産の為、形状や装飾デザインは同じもので決まってしまう。【０００３】  こうした中で、自分だけのオリジナルデザインを施した、携帯電話を所持したいと云う希望や要求に応じた、本発明者の携帯端末用装飾カバー・特願２０１１−４４４６５が開発されている。また、特開２００１−４４６５１のごとく携帯電話自体の外側に、蛍光塗料を施したものが公開されている。
【発明の開示】
【発明が解決しようとする課題】
【０００４】  まず、我々が開発した特願２０１１−４４４６５は、オリジナル電話ケースとして、どのメーカーの携帯電話でも、このケースに入れるだけで、斬新な製品に変身する。つまり従来の携帯電話自体には、なんら手を加える必要は無いのである。そしてさらにユーザーの要求により、暗いところに携帯電話を置いてある時や、夜間にバックや袋類に入れてある場合に、携帯電話ケースが常時光っていれば、すぐに見つけることが出来便利であると指摘され、本発明の開発に着手したのである。この点では、特開２００１−４４６５１のように蛍光塗料等を携帯電話に直接塗布したものでも、良いが、本発明のごとく、携帯電話を入れるケースの、オリジナルデザインが常時輝くものであるので、電話の種類が変わっても一向に構わないのである。
これらを改善するために形成されたのである。
【課題を解決するための手段】
【０００５】  本発明は出来る限りの簡単な構成で形成されている。図１、図２を参考に述べるとまず蛍光材を含有した樹脂ペレットにて、成型機で蓋形状に成型された蛍光材含有カバーケース（２）を設ける。つぎにこの蛍光材含有カバーケース（２）の表面に、独創的オリジナルの蛍光装飾プリント（３）を施して設ける。そしてこのように、装飾して形成された蛍光材含有カバーケース（２）を、スマートホーン（１）等に被せて装着する。
本発明は以上のような構成よりなる、蛍光材等を利用した装飾携帯電話ケースである。
【発明の効果】
【０００６】  この装飾された蛍光材含有カバーケース（２）を、携帯電話に装着するだけで、自分だけの個性あふれるオシャレな携帯電話に変身する。また落とした時の衝撃等による破損、傷等にならないよう保護してくれる。さらに蛍光材等の作用で、暗い場所や夜間等のハンドバックに置かれている携帯電話は、常時、光り輝いてくれているのですぐ見つけることが出来る。つまりカバーケース自体も光るし、装飾プリントも輝くので、これを利用して、図のごとくプリントデザインされた猫の目を、光る目（４）にしたりして、いろいろなメルヘンティックなグラディションを作り出せる。
【発明を実施するための最良の形態】
【０００７】  本発明は、自分だけの唯一のオリジナルデザインを施した、携帯電話ケースとして他の人とは、かなりの差別化されている製品である。この点を考慮しつつ、つねに進化させている。まず、蛍光材を含有した樹脂ペレット等を原料として、成型機等で蓋形状に成型された、蛍光材含有カバーケース（２）を形成して設ける。（該カバーケースは他の材質でもよい）つぎに顧客の要求に応じた特殊な、蛍光装飾プリント（３）を、この蛍光材カバーケース（２）の表面にプリントを施して設ける。最後にこのように形成された蛍光材含有カバーケース（２）を携帯電話等のスマートホーン（１）に装着する。
これでその斬新なデザインは、真っ暗な闇でも、燦然と輝いて見え、その多彩な現象をかもしだし、グランディション的な立体的なメルヘンテイクを自慢できるスマートホーン（１）に変身する。
本発明は以上のような構成であり、これを使用実施するときには、【０００８】  手持ちのスマートホーン（１）等を、この装飾された蛍光材含有カバーケース（２）に、装着するだけで良い。
【図面の簡単な説明】
【０００９】
【図１】  本発明の加工説明図である。
【図２】  本発明の構成実施図である。
【符号の説明】
【００１０】  １  スマートホーン
２  蛍光材含有カバーケース
３  蛍光装飾プリント
４  光る目
【図１】
2013240028.tif 000003
【図２】
2013240028.tif 000004
(57)【要約】【課題】人の健康を身近にある納豆を通し薬にも等しい納豆菌を効率よく体内外に取入る事で副作用ない自然薬品を提供する殺菌用剤納豆菌である。【解決の手段】稲藁に含まれる納豆菌を効率の良い方法で採集し出来るように納豆に納豆菌を培養繁殖させた納豆を細かく磨り潰し容器に保存し低温で保管し必要に応じた使い方で健康に生かされる外皮用薬品や消化器官用剤に使用できる殺菌用剤納豆菌である。【特許請求の範囲】
【請求項１】
大豆を煮込み水分を切った豆を、藁を熱湯で蒸した物を３０本前後の藁を二つに折り曲げて袋状にした物に大豆を充填し約４０度前後の温度で寝かせ藁に含んでる納豆菌が大豆に繁殖した納豆菌を採集し外皮用薬品や消化器官用薬剤に使用する殺菌用剤納豆菌。
【発明の詳細な説明】
【技術の分野】
【０００１】本発明は、人や動物の体内外に菌が交錯するために不要な雑菌を取り除く殺菌用剤納豆菌に関するものである。
【背景技術】
【０００２】従来、人体や動物に用いる殺菌用医薬品剤は多くあった。
【発明の開示】
【発明が解決しようとする課題】
【０００３】人体や動物の体内外には投与した薬を邪魔する雑菌が多くあり薬の効果を発揮できないものがある。
そこで、人体に優しく殺菌をしながら消化器官用薬剤と外皮用薬剤として使用できるものである。
【課題を解決するための手段】
【０００４】食卓に上る通常の納豆に含まれる納豆菌は、消化器官用剤としても良く知られている、又  外皮用薬剤として、特に水虫やインキンタムシ等に塗剤としても使用できる。
藁を熱湯で蒸した藁に包み納豆にした納豆菌は菌の繁殖が強く雑菌に負けない強さを持ち病を良い方向に導いてくれる。【０００５】納豆菌の臭えが大きな問題であるがハーブ草の搾り汁等を混ぜる事により臭みを押さえる事ができる。
又、納豆菌を採取しやすくするためによくかき混ぜ糊状にして容器に入りグリセリンを加える事で乾燥をおさえる事ができ使用しやすくなる。
【発明の効果】
【０００６】稲藁を１００度の高温で蒸しても生き残る納豆菌を生かし、大豆を煮たものを藁を袋状して包込み納豆菌を繁殖させた強い菌は外皮薬剤として  白癬菌や水虫、インキンタムシ等の雑菌が多く直りにくいものにも効果的に働く又、体内や口内の雑菌をも納豆を細切れしよく掻き混ぜ食べる事により健康的な肉体をつくり血液もサラサラにし副作用もなく手軽な殺菌用剤納豆菌である。
【発明を実施するための最良の形態】
【０００７】稲藁を熱湯で約１００℃煮込み湯を切り約３０本の藁を中央部から折り曲げ両先端部藁で結束し折り曲げ部から中央部から両側に分け袋状にし煮た大豆を充填し藁紐でもれないように結束する。
これらを数十個単位を室で熟成させる事により藁から納豆菌が発生し強い納豆が造られる。【０００８】納豆を磨り潰し小量の水分を加えたものを容器に入れグリセリンを加える事で外皮用薬剤として使用しやすくなる。
患部にそのまま塗ったり、片面が粘着のテープの中央部にガーゼを設けそれに納豆菌を塗り患部に貼る等いろいろ使用できる。【０００９】細か磨り潰した納豆をお粥に混ぜて食事に使用することで体内や口内のそじた体をやさしく雑菌を取り除き体調を整えてくれる事で消化器官用剤として副作用のない安心の削除菌として使用できる。【００１０】低温で保存することで長く保存がきくので使用しやすく、納豆の臭えが気になるときは、好きなハーブを磨り潰した物などを混ぜて使用すると長続きする。
(57)【要約】【課題】体外離脱応用不老不死装置の応用として精神転送（精神アップロード）の不老不死を実現。【解決手段】老衰や病人や老人にあたって、ヘミシンク技術か右脳右角状回電極刺激か右脳聴覚野付近電極刺激か麻酔薬のケタミン服用で体外離脱した意識エネルギー（精神）を念じるだけで脳の電気信号で動き、電源動力源として人間型ヒューマノイドサイボーグロボットに赤外線感知器で誘導、固定、入れ（精神転送、精神アップロード）不老不死にした体外離脱専用の人間型ヒューマノイドサイボーグロボットを可能とした。【選択図】なし【特許請求の範囲】
【請求項１】
（ィ）ヘミシンク技術か右脳右角状回電極刺激か右脳聴覚野付近電極刺激か麻酔薬のケタミンを服用すれば確実に体外離脱でき意識エネルギー(精神)を体外に出し、老衰や病人や老人を中心として、
（ロ）前記体外離脱した意識エネルギー（精神）が入る脳の電気信号で全身が動く人間型ヒューマノイドサイボーグロボットを用意し、
（ハ）その人間型ヒューマノイドサイボーグロボットに意識エネルギー（精神）は赤外線で感知できるので赤外線感知器でその人間型ヒューマノイドサイボーグロボットに誘導して固定し（精神転送、精神アップロード）、該意識エネルギー（精神）は熱電流として電源となり、人間型ヒューマノイドサイボーグロボットの動力源ともなり、
（ニ）前記意識エネルギー（精神）の脳に当たる部分からの脳の電気信号で人間型ヒューマノイドサイボーグロボットに入ったこの意識エネルギー（精神）により人間肉体同様の念じることで人間肉体から人間型ヒューマノイドサイボーグロボットに移った後でも人間同様のことができ、体外離脱専用の人間型ヒューマノイドサイボーグロボットで、
以上の如く特徴を持つ精神転送（精神アップロード）としての体外離脱応用不老不死装置6。
【発明の詳細な説明】
【技術分野】
【０００１】
本発明は、体外離脱応用不老不死装置の精神転送（精神アップロード）と専用人間型ヒューマノイドサイボーグロボットに関する。
【背景技術】
【０００２】
従来、精神転送（精神アップロード）の技術はなく、体外離脱応用不老不死装置に関する技術はあったがその応用の精神転送（精神アップロード）と専用の念じて動き、動力源となる人間型ヒューマノイドサイボーグロボットはなかった。
【０００３】
【非特許文献１】「日本経済新聞  電子版」2013年8月5日
【非特許文献２】「日本経済新聞  電子版」2013年1月2日
【非特許文献３】「別冊日経サイエンス知覚は幻」2010年10月15日、114頁-117頁
【非特許文献４】「ランセット」2001年12月15日、2039頁から2045頁
【非特許文献５】「ネイチャー」2002年9月19日、269頁から270頁
【非特許文献６】「フリー百科事典ウィキペディア」精神転送
【発明の開示】
【発明が解決しようとする課題】
【０００４】
従来、体外離脱応用不老不死装置に関する技術はあったがその応用の精神転送（精神アップロード）と専用の念じて動き、動力源となる人間型ヒューマノイドサイボーグロボットはなかったので最新技術よって実現させる。        
【課題を解決するための手段】
【０００５】
ヘミシンク技術か右脳右角状回電極刺激や右脳聴覚野付近電極刺激や麻酔薬のケタミン服用で体外離脱した意識エネルギー（精神）を精神転送（精神アップロード）と念じて動く人間型ヒューマノイドサイボーグロボットに赤外線感知器で入れ固定することで肉体人間同様の行動はすべてでき、人間型ヒューマノイドサイボーグロボットの動力源ともなるものとする。
【発明の効果】
【０００６】
麻酔薬のケタミン服用で確実に体外離脱でき念じて動く人間型ヒューマノイドサイボーグロボットで不老不死の体と肉体の時と同じ記憶意識による行動が可能になり、精神転送（精神アップロード）と動力源にその意識エネルギー（精神）の熱電流を使う。
【発明を実施するための最良の形態】
【０００７】
以下、本発明の実施例について時系列的論理的に文章で説明する。先ず、ヘミシンク技術か右脳右角状回電極刺激か右脳聴覚野付近電極刺激か麻酔薬のケタミン服用で確実に体外離脱でき、意識エネルギー（精神）を体外に出し、老衰や病人や老人を中心として、前記体外離脱した意識エネルギー（精神）が入る脳の電気信号で全身が動く人間型ヒューマノイドサイボーグロボットを用意し、その人間型ヒューマノイドサイボーグロボットに意識エネルギー（精神）は赤外線で感知できるので赤外線感知器でその人間型ヒューマノイドサイボーグロボットに誘導して固定し（精神転送、精神アップロード）と、該意識エネルギー（精神）を電源とし人間型ヒューマノイドサイボーグロボットの動力源ともなり、前記意識エネルギーの脳に当たる部分からの脳の電気信号で人間型ヒューマノイドサイボーグロボットに入ったこの意識エネルギー（精神）により人間肉体同様の念ずることで人間肉体から人間型ヒューマノイドサイボーグロボットに移った後でもすべて人間と同じ事ができ、動力源の電源となり、体外離脱専用の人間型ヒューマノイドサイボーグロボットで、
以上の如く特徴を持つ精神転送（精神アップロード）としての体外離脱応用不老不死装置6。
【実施例】
【０００８】
上記の形態や非特許文献の如く実施される。
【産業上の利用可能性】
【０００９】
精神転送（精神アップロード）としての体外離脱専用の人間型ヒューマノイドサイボーグロボットによる不老不死の実現が可能になり、高齢化社会での産業上の利用可能性は高いと解される。
(57)【要約】【課題】  一般的な書類を入れる封筒にループ式ひも状部材を取り付ける事により、封筒を背負う事が可能と成り、両手が開放され封筒紛失の不安を解消させる【解決手段】  ループ式ひも状部材は、楕円形状に成っておりその中央部分が各々封筒の上部と下部へ平行に接着されており、封筒からはみ出たループに成ったひも状部材に両腕を通し背負う事を特徴とする。【選択図】図１
2013240970.tif 000002
【特許請求の範囲】
【請求項１】
書類等を入れ、送付、保管、持参に用いる一般的な封筒であって、封筒外面にループ式ひも状部材が強力な接着剤で取り付けられており、そのループ式ひも状部材に両腕を通し封筒を背負う事を特徴とするひも付き封筒。
【請求項２】
前記ループ式ひも状部材は、楕円形状に成っておりそのひもの中央部分が各々封筒の上部と下部へほぼ平行に強力な接着剤で取り付けられ、封筒からはみ出たひも状部材部分はループ状に成るように取り付けられている、更には封筒の上部に取り付けられたループ式ひも状部材が封筒両端に位置する部分については、背負う時に肩に収まり易いように上向きに傾斜して取り付けられている事を特徴とする請求項１記載のひも付き封筒。
【請求項３】
前記ループ式ひも状部材の中央部分を交差させて封筒外面に接着取り付けられている事でひもを肩に掛け易くした請求項１記載のひも付き封筒。
【発明の詳細な説明】
【技術分野】
【０００１】  本発明は、一般に書類等を入れ、送付、保管、持参をするその他の封筒に関する。
【背景技術】
【０００２】  従来の封筒は、様々な形、デザイン等の工夫が為されているが、しかしながらそれらは構造的には、単に書類を入れ閉じる封筒だけのものである。
【発明の開示】
【発明が解決しようとする課題】
【０００３】  上述の如く、従来の封筒は、書類等を入れ、送付、保管をする際に主として用いられる、併せて書類を持参して移動する時にも書類の中身の秘匿並びに散逸の防止の為に封筒に入れ手に持ち行動するが、移動の途中で例えば傘をさしながら財布を取り出し買い物をする等両手を使う動作を行うことは極めて困難で、封筒を持った手を他の用途に使おうとして封筒から一旦手を離すと封筒を紛失する可能性が高い。【０００４】  封筒を持参して移動する際に手に持つ煩わしさから電車の棚等へ置く事で紛失する事も多く、従って封筒を紛失しないように常に気を使うことは、大きな精神の負担と成っている。【０００５】  本発明は、この様な点に鑑み為されたものであり、その目的は、封筒の外面にループ式紐状部材を取り付ける事で封筒を背負う事が可能と成り、両手が開放され手に持つ封筒紛失の不安が容易に解消される。
【課題を解決しようとするための手段】
【０００６】  上記の目的を達成しようとする本発明の封筒は、書類等を入れ、送付、保管する一般的な封筒であって、封筒外面にループ式紐状部材が強力な接着剤で取り付けられており、そのループ式ひも状部材に両腕を通し背負う事を特徴とする。
【０００７】  ループ式ひも状部材は、楕円形状に成っておりその中央部分が各々封筒の上部と下部へほぼ並行して強力な接着剤で取り付けられ封筒からはみでたひも状部材部分はループ状に成るように取り付けられている、更には封筒上部に取り付けられたループ式ひも状部材が封筒両端に位置する部分については、背負う時に肩に収まり易いように上向きに傾斜して取り付けられている、又、ループ式ひも状部材の中央部分を交差させて封筒外面に接着する事でひもを肩に掛け易くした請求項１記載のひも付き封筒。
【発明の効果】
【０００８】  以上説明したように、本発明によれば封筒外側にループ式ひも状部材を取り付け、そのループ式ひも状部材が封筒からはみ出た部分に両腕を通す事で背負うことが可能となる。このひも付き封筒を使えば両手は、封筒を持つ事から開放され且つ封筒を身に付けることで紛失の不安から解放される、加えて背負う事で上着を着用すれば肩に掛かったひもは上着に隠れ周囲から全く見えなくなり書類の安全上も良く、周りから見た感じの違和感は無い。
【発明を実施するための最良の形態】
【０００９】  以下本発明の実施の形態を図面に基づき詳細を説明する。【００１０】  図１〜４は、本発明の第一の実施の形態に係り、図１は、外観斜視図、図２は、正面図、図３は、中央部縦断面図、図４は、第２正面図である。【００１１】  図１そして図２の封筒表側正面図１、封筒裏側正面図２に示す様にループ式ひも状部材３は、紙やビニール等の科学製品等で出来ている、そしてそのループ式ひも状部材３の中央部分４は封筒１の上部、５は封筒１の下部にほぼ平行に強力な接着剤で取り付けられている、更には、封筒よりはみ出たループ式ひも状部材は、その各々のループに両腕を通して背負う事が可能な長さをしたループ状に成っている。【００１２】  図１、図２に示すように封筒の上部に取り付けられたループ式ひも状部材３の内両端部６は封筒の上方向を目指して接着されていて、それによりひも付き封筒を肩に掛けた時に違和感無く収まり背負う事ができる。【００１３】  図１、図２に示す様にループ式ひも状部材３の長さは、ひも付き封筒１を背負った上で上着を着た時にひも付き封筒１が上着の上部より飛び出る事の無い長さと共に背中でひも付き封筒１が左右に揺れて遊ぶ事の無い収まりの良い適切な長さと成っている。【００１４】  図４に示す様に一本のループ式ひも状部材の中央部分を交差させて６の如くＸ状の形態で封筒に接着させる事により封筒の上部に接着される部分７が自然に上向きに成り、肩に掛け易くしたひも付き封筒。【００１５】  以上本発明の実施の形態及び実施例を説明したが、本発明はこれに限定されるもので無く、ひも自体を透明にして目立たなく又逆にひもに色を付ける事でよりおしゃれに上着が無く背負っても違和感無くすることも可能である、又、ひも状部材をゴム等の弾性素材にして、背負った際によりフィット感を持たせることも併せて可能で有る。
【図面の簡単な説明】
【００１６】
【図１】本発明の第１の実施の形態に係る外観斜視図である。
【図２】図１の正面図である。
【図３】図１の中央断面図である。
【図４】本発明の第２正面図である。
【図１】
2013240970.tif 000003
【図２】
2013240970.tif 000004
【図３】
2013240970.tif 000005
【図４】
2013240970.tif 000006
(57)【要約】      （修正有）【課題】低コストで、環境に優しい竹繊維製造方法を提供する。【解決手段】発筍後枝を出していない若竹を、先ず湿った日陰に寝かせおくことにより好気的発酵させ、引き続いて汚染されていない川水水を満たした容器に入れ嫌気的発酵させ、嫌気発酵が十分進んだことを確認し、水道水で十分繊維を洗浄し、水を切り、風乾する竹繊維の製造方法。【選択図】図１
2013240972.tif 000002
【特許請求の範囲】
【請求項１】
若竹、理想的には発筍後枝を出していない若竹を原料として、最初は好気的、引き続いて嫌気的に発酵させることを特徴とする竹繊維の製造法。
【請求項２】
製造された竹繊維を、そのままの形態で詰め物として使用する、例えば、家具、寝具、衛生用品、自動車、航空機、等の乗り物の座席など。
【発明の詳細な説明】
【技術分野】
【０００１】  本発明は、竹繊維の製造方法に関するものである。
【背景技術】
【０００２】  竹より竹繊維を製造する方法に関しては、古来より中国では竹紙の目的で、竹を数年水に浸ける、数日がかりで煮る、杵と臼でつぶす、等の手順で繊維を得ていた  （例えば、非特許文献１、２参照。）。【０００３】  最近では竹を爆砕（特許文献１、２）、オートクレーブ処理（特許文献３，４）、アルカリ処理（特許文献５、非特許文献２、３、４）、または、酵素処理等（特許文献６）、を工程に含めて竹繊維を得ている。このように従来の竹繊維の取得には多大な消費エネルギー量とコストを要している、また、本発明に利用するのに十分強靭で長い繊維は得られていない。
【先行技術文献】
【特許文献】
【０００４】
【特許文献１】  特開２００４−１６７７３０号公報
【特許文献２】  特開２００７−２８３６６１号公報
【特許文献３】  特開２００５−１９３４０５号公報
【特許文献４】  特開２００８−２３７６９号公報
【特許文献５】  特開２００９−１６６３９７号公報
【特許文献６】  特開２００８−１０６４号公報
【非特許文献】
【０００５】
【非特許文献１】  「竹の魅力と活用」  内村悦三  （株）創森社  ２００４年３月２３日  第１版  発行
【非特許文献２】  「竹紙を漉く」  水上勉  （株）文藝春秋  ２００１年８月２０日  第１刷  発行
【非特許文献３】  「パルプ原料としての竹繊維の化学的研究」  東野哲三  大阪府立大学紀要、農学・生物学  ｖｏｌ．１４，１９６３
【非特許文献４】  「竹繊維の鑑別と消費性能」  池田善光  等  東京都立産業技術研究センター研究報告、第１号、２００６年
【発明の概要】
【発明が解決しようとする課題】
【０００６】  上記の問題点を考慮された本発明は、消費エネルギーとコストをかけない単純化された手段で、しかも、環境に考慮した方法で竹繊維を得ることを目的とする。
【課題を解決するための手段】
【０００７】  本発明は、竹より竹繊維を取り出す処理方法であり、使用する竹は含まれる繊維量が多くて、同時に自然条件（加温やｐＨ調製しない）で発酵する若い竹を原料にする処理方法である。
【発明の効果】
【０００８】  本発明によると、緩和な条件で一度に多量の竹を処理でき、多量の竹繊維が得られると同時に、荒廃されている竹林の整理、調整が可能になる。しかも環境に優しい。
【図面の簡単な説明】
【０００９】
【図１】  本発明で調製された太さの異なる繊維の写真。それぞれの繊維の仮の番号を上部に示す。
【図２】  図１の繊維１の末端部分の実体顕微鏡でのスケッチ
【図３】  図２の繊維１のＡ−Ａ、Ｂ−Ｂ線での断片のスケッチ
【図４】  図２の繊維１を人工的に解した状態のスケッチ
【図５】  図４の解した１本部分の繊維を更に一部を解した状態のスケッチ
【図６】  図１の繊維２の末端部分の実体顕微鏡でのスケッチ
【図７】  図６のＣ−Ｃ、Ｄ−Ｄ線での断片のスケッチ
【図８】  図１のもう一方の繊維２のＣ−Ｃ，Ｄ−Ｄ線での断片のスケッチ
【図９】  図１の繊維３の断片のスケッチ
【発明を実施するための形態】
【００１０】  本発明で用いる竹はどんな種類でもよく、初筍後枝が出ていない若竹の根元を切り、湿った日陰に寝かせおく。乾燥する場合は水をやる。約１ヶ月後、適当な長さに切り、適当な容器に入れ、水を満たして約１，２ヶ月嫌気的に発酵させる。この嫌気発酵には汚染されていない上流の川水を用いる。
【００１１】  嫌気発酵が十分進んだことを確認して発酵容器から竹を取り出し、水道水で十分繊維を洗浄し、水を切り、風乾する。
【実施例１】
【００１２】  モウソウチク（丈約１０ｍ）を５月中旬に根元で切り、湿った日陰に１ヶ月間寝かしておき、約１ｍの長さに切り、容器に入れ、川水を満たして、２ヶ月間嫌気発酵を行った。その間２，３回撹拌して、発酵に進行状況を確認した。
〔顕微鏡観察〕【００１３】  実施例１で得られた太さの異なる繊維の写真を図１に示した。繊維１は最も太く、調製された繊維の大部分、約８０％、を占め、繊維２は約１５％、繊維３は約５％占めていた。【００１４】  繊維１は図２に示すように４本の部分繊維で構成され（四量体）、断面図を見るとそれぞれ部分繊維には、ほぼ同じ大きさの穿孔が見られた（図３）。この四量体は図４に示すように容易に解すことが出来、部分繊維は更に細かく解すことが出来、図１と図５に示すように綿状に変形した。【００１５】  繊維２は図６、図７と図８に示すように完全ではないが二量体の形をしていた。断面図では穿孔は４個見られ、繊維１の穿孔より小さく、穿孔それぞれの大きさも異っていた。【００１６】  繊維３は図１に示すように最も細く、一量体で、その断面を見ると穿孔は小さく１個だけだった（図９）。
【産業上の利用可能性】  本発明によると、発酵処理という緩和な条件で竹から繊維を取り出すことができ、エネルギーコストがかからず、しかも、環境に優しい。調製された竹繊維は軽く、吸湿性もあり、腐敗しないのでそのままの形態で各種の詰め物として使用することができる。例えば、家具、寝具、衛生用品、自動車、航空機、等の乗り物の座席のクッションなど。
【符号の説明】
【００１７】１  繊維１
２  繊維２
３  繊維３
４  模様
５  部分
６  穿孔
７  綿状
８  よじれ
【図１】
2013240972.tif 000003
【図２】
2013240972.tif 000004
【図３】
2013240972.tif 000005
【図４】
2013240972.tif 000006
【図５】
2013240972.tif 000007
【図６】
2013240972.tif 000008
【図７】
2013240972.tif 000009
【図８】
2013240972.tif 000010
【図９】
2013240972.tif 000011
(57)【要約】【課題】従来の赤ん坊用の抱っこ紐やスリング等の商品は、赤ん坊を抱くための専用商品で機能的であるが、それらを装着して赤ん坊を抱く時に手間がかかり面倒である。赤ん坊と一緒に外出する際に赤ん坊を抱きながら、オムツ、ティッシュペーパー、哺乳瓶などを入れるバッグを別に持つ必要があり、煩わしくて不便である。【解決手段】バッグ上部にパット（中芯）を入れる共に中央部分をへこませ赤ん坊が座ることができるような形状にし、また長さ及び高さが調節できる脱着可能な背当てパットを装備した。本発明は簡単にお母さんの肩にかけることができ、従来の抱っこ紐のように装着するのに手間がかからず、また容易に赤ん坊を抱くことができるのでお母さんへの体の負担が少ない。又本発明は抱っこ紐と荷物入れの両方の機能を備えているので、オムツ、ティッシュペーパー、哺乳瓶など入れる為に別のバッグを持つ必要がない。【選択図】図２
2013240552.tif 000002
【特許請求の範囲】
【請求項１】
バッグ上部にパット（中芯）を入れ且つ中央部分をへこませて赤ん坊が座ることができるような形状にし、また長さ及び高さが調節できるようにし且つ脱着可能な背当てパットを装備した、赤ん坊用抱っこ紐と荷物入れの両方の機能を備えたショルダーバッグ。
【発明の詳細な説明】
【技術分野】
【０００１】  本発明は、赤ん坊用の抱っこ紐と荷物入れの両方の機能を備えたショルダーバッグに関する。
【背景技術】
【０００２】  従来の赤ん坊用の抱っこ紐やスリングなどの商品は、赤ん坊を抱くための専用商品で機能的であるが、それらを装着して赤ん坊を抱く時に手間がかかり面倒である。【０００３】  赤ん坊と一緒に外出する際、赤ん坊を抱えながらオムツ、ティッシュペーパー、哺乳瓶などを入れるバッグを別に持つ必要があり、煩わしくて不便である。
【発明の概要】
【発明が解決しようとする課題】
【０００４】  以上に述べたように、従来の抱っこ紐を使用して赤ん坊と一緒に外出する際に、抱っこ紐を装着するために手間がかかり、また荷物を入れるバッグを別に持つ必要があり、お母さんへの負担が重く大変である。【０００５】  本発明は、このような従来から有していた問題を解決しようとするものであり、赤ん坊と一緒に外出する際に、お母さんの負担を軽減することにある。
【課題を解決するための手段】
【０００６】  上記の目的を達成する為、本発明のショルダーバッグは、バッグ上部にパット（中芯）を入れると共に中央部分をへこませ赤ん坊が座ることができるような形状にし、また長さ及び高さが調節できる脱着可能な背当てパットを装備する。【０００７】  本発明のショルダーバッグは、肩かけ部分を大きくし、厚く、柔らかくする。【０００８】  上記の課題解決手段による作用は次のとおりである。本発明は、赤ん坊を座らせることができるようにし背当てパット装備したショルダーバッグなので、簡単にお母さんの肩にかけることができ、従来の抱っこ紐のように装着するのに手間がかからず、容易に赤ん坊を抱くことができるのでお母さんへの体の負担が少ない。また本発明は抱っこ紐と荷物入れの両方の機能を備えているので、オムツ、ティッシュペーパー、哺乳瓶など入れる為に別のバッグを持つ必要がなくなる。
【発明の効果】
【０００９】  本発明は従来の抱っこ紐のように装着するために手間がかからず、赤ん坊を抱いて外出する際にお母さんへの負担が少なく楽である。【００１０】  オムツ、ティッシュペーパー、哺乳瓶などの荷物を入れる為に、別のバッグを持つ必要がないので便利である。
【図面の簡単な説明】
【００１１】
【図１】本発明の全体図面
【図２】本発明を装着し赤ん坊を抱いた図面
【図３】本発明をショルダーバッグとして使用した図面
【発明を実施するための形態】
【００１２】  以下、各図面を参照しながら、本発明の実施形態を説明する。
【００１３】  図１は本発明の全体図を示す。１は赤ん坊の座面であり、内部にウレタンパットを入れると共に中央部分をへこませ、赤ん坊を本発明のバッグに跨がせて座らせた場合に尻にかかる負担を軽減させる。２は背当てパットであり、赤ん坊の身体に合わせられるよう長さ及び高さが調節できるようにすると共に内部にアクリル綿を入れ、赤ん坊の体を安定させ、また赤ん坊の背中にかかる負担を軽減させる。この背当てパットは脱着でるようにしたので本発明を単にショルダーバッグとして使用する時に便利である。３は肩かけ部分であり、内部にアクリル綿を入れ、大きく、厚く、柔らかくすることにより、肩にかかる負担を軽減することができる。４は財布、携帯電話等を入れる小物入れポケットであり、左右両方から取り出せるようにファスナーを両側に付ける。
【００１４】  図２は本発明を装着し赤ん坊を本発明のバッグに跨がらせ座らせた状態を示す。赤ん坊を手で支えると共に背当てパットにより赤ん坊の身体を安定させる。本発明は、ショルダーバッグを工夫改良したものなので、簡単に肩に掛けられ、抱っこ紐のように装着するのに時間がかからない。
【００１５】  図３は背当てパットを取り外し、本発明をショルダーバッグとして使用した状態を示す。単にショルダーバッグとして使用した時にもバッグ本来の機能を損なわない。
【符号の説明】
【００１６】  １  座面
２  背当てパット
３  肩かけ部分
４  小物入れポケット
【図１】
2013240552.tif 000003
【図２】
2013240552.tif 000004
【図３】
2013240552.tif 000005
(57)【要約】【課題】  本発明は、従来からの爪楊枝の用途に、頭の部分に手を加え、爪楊枝の先端部分とは反対極面の上の頭部を平面状にして、爪楊枝とスプーンの両方で使用できるように範囲を広げた平面形状のスプーン付き爪楊枝を提供する。【解決手段】  爪楊枝において、爪楊枝の先端部分とは反対極面の上の頭部を平面状にした、平面形状のスプーン付き爪楊枝。【選択図】図１
2013240551.tif 000002
【特許請求の範囲】
【請求項１】
爪楊枝において、爪楊枝の先端部分とは反対極面の上の頭部を平面状にした、平面形状のスプーン付き爪楊枝。
【発明の詳細な説明】
【技術分野】
【０００１】  本発明は、爪楊枝の先端部分とは反対極面の上の頭部を平面状にして、頭部も使えるように工夫した平面形状のスプーン付き爪楊枝に関するものである。
【背景技術】
【０００２】  従来、爪楊枝を使用する目的は、食事をしたあと、歯につまった食べカスを取る、また、食べ物を取り分けるために使用するものであった。
従来の爪楊枝の頭部を平面状に改良し、飲食物を平面状部分で口に運べる型にすることによって、本発明は問題を解決している。
【先行技術文献】
【０００３】
【特許文献１】  特開平９−５４６号公報
【特許文献２】  特開平７−４２４号公報
【特許文献３】  実用新案登録３１３７６５８公報
【発明の概要】
【発明が解決しようとする課題】
【０００４】  そのために、次の様な問題点があった。
爪楊枝のみである場合は、食品の型、やわらかさに限界があり、用途としても利用価値が低かった。
また、多種多様な時代にマッチしなくなってきている。
本発明は、以上の問題点を解決するためになされたものである。
【課題を解決するための手段】
【０００５】  爪楊枝において、爪楊枝の先端部分とは反対極面の上の頭部を平面状にした、平面形状のスプーン付き爪楊枝。
【発明の効果】
【０００６】  素材が木製により、レンジ使用時も体に安全、安心、冠婚葬祭から家庭とありとあらゆるところで、また、食べ物の素材が軟らかいものまで食べることができる。
スプーンの代用になれば、災害時にも活躍し期待が持て、現代のように忙しく働く女性が多い時代に使い捨てであることは、必要不可欠なエコ商品になる。
シンプルな形状と実用性、日常生活の常備を目的とするものである。
従来の爪楊枝の先端部分とは反対極面の上の頭部を平面状にして、飲食物を平面状部分で口に運べる型にすることによって、本発明は問題を解決している。
【図面の簡単な説明】
【０００７】
【図１】  本発明の正面図である。
【発明を実施するための形態】
【０００８】  以下、本発明の実施の形態について説明する。
（イ）本体、従来の爪楊枝と一体化にする。
（ロ）首部、折れやすい部分であるため少し太目にする。
（ハ）頭、何らかの平面状にし、スプーンの代用品とする。
（ニ）先端、従来のもの同様尖った先端とする。
本発明は、以上の様な構造でこれを使用するときは、用途により両方使用可能である。
【符号の説明】
【０００９】  １  先端
２  首部
３  頭部
４  本体
【図１】
2013240551.tif 000003
(57)【要約】【課題】    フライ料理などの下準備をするとき、衣などが手に着かないようにすることを目的とした五本指連結サックを提供する。【解決手段】    柔軟性と自立できる強度を持ち、かつ耐熱性，耐冷性を有する可塑性の素材を材料として使用し、手の平サイズのブリッジを基にして五本の指サックをブリッジの下側に設けたことを特徴とする五本指連結サック。【選択図】図１
2013240561.tif 000002
【特許請求の範囲】
【請求項１】
柔軟性と自立できる強度を持ち、かつ耐熱性，耐冷性を有する可塑性の素材を材料として使用し、手の平サイズのブリッジを基にして五本の指サックをブリッジの下側に設けたことを特徴とする五本指連結サック。
【請求項２】
ブリッジに枠を設けてなる請求項１記載の五本指連結サック。
【請求項３】
五本の指サックを取り外し可能とした請求項１記載の五本指連結サック。
【発明の詳細な説明】
【技術分野】
【０００１】  本発明は、フライ料理などの下準備をするとき、衣などが手に着かないようにすることを目的とした五本指連結サックに関するものである。
【背景技術】
【０００２】  従来、フライ料理を作るとき、▲１▼食材に小麦粉をまぶす→▲２▼とき卵に浸す→▲３▼パン粉を付けるという手順で下準備をする。この下準備の一連の手順を素手で行うと、どうしても小麦粉，卵，パン粉が手に付着する。▲２▼のとき卵に浸す過程で、菜箸やトングを使えば軽減できるが、コロッケ等の柔らかい素材を扱う場合は、型崩れしてしまうので、手で扱わざるを得ない状況にある。
【発明が解決しようとする課題】
【０００３】  そのため、次のような問題点があった。
（イ）手に衣が付着すると、次の手順に移行するために、手を洗ったり、布巾で手を拭っ      たりして逐一衣を除去しなければならず、作業効率が悪かった。
（ロ）トングや菜箸を使った場合、柔らかい素材はつかみづらく、型崩れを起こす恐れが      あった。
本発明は、以上の問題点を解決しようとするものである。
【課題を解決するための手段】
【０００４】  上記問題を解決するために本発明は、指の動きを妨げることのない柔軟性と自立できる強度を持ち、かつ耐熱性，耐冷性を有する可塑性の素材を材料として使用し、手の平サイズのブリッジを基にして、五本の指サックをブリッジの下側に設けて一体化したことを特徴とする五本指連結サックである。
【発明の効果】
【０００５】  本発明は、菜箸，トング等の機能だけでなく、手袋，ミトン，オープナー等の機能も果たすことができる。更に、菜箸やトングと違って柔らかい食材や料理の型崩れを起こし難く、手袋やミトンと違って着脱し易いので作業効率を向上させることが可能であり、堅い物から柔らかい物、冷たい物から熱い物、濡れた物から乾いた物まで広範囲に使用できる。
【図面の簡単な説明】
【０００６】
【図１】本発明の斜視図
【図２】本発明の使用手順を示した斜視図  （ａ）は本発明の装着前を示した図。（ｂ）は本発明の装着時を示した図。（ｃ）は本発明を装着し対象物を扱った状態を示した図。
【発明を実施するための形態】
【０００７】  以下、本発明の実施の形態を説明する。
（イ）指の動きを妨げることのない柔軟性と自立できる強度を持ち、かつ耐熱性，耐冷性      を有する可塑性の素材を材料とする。
（ロ）枠（２）を設けた手の平サイズのブリッジ（１）を基に、親指サック（３）と人差      し指サック（４），中指サック（５），薬指サック（６），小指サック（７）をブ      リッジの下側に設けて一体化させる。
（ハ）各指サックの配置は、一方に親指サック（３）、他方に人差し指サック（４），中      指サック（５），薬指サック（６），小指サック（７）を一列に配置する。
本発明は、以上の構成よりなっている。
本発明を使用する場合、基本的には、ブリッジ（１）を水平に置き、それぞれ対応する指を差し込んで装着。手袋やミトンとして使用する場合、茹でたてのジャガイモの皮むきなど熱いものを扱うときや、指の皮が貼り付きやすい冷凍庫内の製氷皿やバットやカップなどを扱うときなど手を保護するために使用。トングや菜箸として使用する場合、フライ料理の衣を付けるときや盛り付けのときなどの型崩れし易い料理，食材を扱う際に、料理の作業効率や衛生面を考慮して使用。オープナーとして使用する場合、開け難い缶の蓋や瓶の蓋を開けるとき指の滑り止めに使用。
【符号の説明】
【０００８】      １    ブリッジ
２    枠
３    親指サック
４    人差し指サック
５    中指サック
６    薬指サック
７    小指サック
【図１】
2013240561.tif 000003
【図２】
2013240561.tif 000004
(57)【要約】【課題】スト―マ袋に排泄物が溜まった場合の膨らみや重さによる変形、体への負担、スト―マ袋の着衣から外観への影響、見栄えを良くし、装着時の安定感を求めるため、又クリーニングによる変形をも軽減するためのものである。【解決手段】  表布には接着芯を張って強度を補い、スト―マ袋が肌に直接触れる部分を少なくする事と、排泄物（特に水様性便）が溜った時の膨らみ、重さによる変形と体への負担を軽減するために、肌に接する側の袋カバー布の上端を軽くカーブさせたウェストベルト位置で挟み縫い止め、装着時の安定感を補強したスト―マ袋スマートケアカバーを提供する。【選択図】図２
2013240565.tif 000002
【特許請求の範囲】
【請求項１】
本体の布全体に接着芯を張って補強し、カバー布裏面両上端をベルト部まで延ばし、ベルト見返し布に挟んで縫い込み、軽くカーブさせたウェストベルトで、腰部にしっかり装着させるスト―マ袋スマートケアカバー。
【発明の詳細な説明】
【技術分野】
【０００１】本発明は、機能性、耐久性、且つスタイルアップ性を重視したスト―マ袋用スマートケアカバーに関するものである。
【背景技術】
【０００２】人工的にパウチ袋、或いはスト―マ袋を装着した人の、本人または他人に対して抗菌、防臭や不快感、心理的な負担を軽減することに重点を置いて考案されたカバーである。
【先行技術文献】
【特許文献】
【０００３】
【特許文献１】  特開２００６−２０４４７７号公報
【発明の概要】
【発明が解決しようとする課題】
【０００４】従来のスト―マ袋カバーに対して、スト―マ袋の肌への接触部を少なくして肌荒れ、かぶれを防ぎ、スト―マ袋に排泄物（特に水様性排泄物）が溜まった場合の膨らみや重さによる変形、変形による着衣から外観への影響、スト―マ袋を使用時の本人や第三者の見た目の不快感や漏れによる精神的負担、装着者の行動、活動による揺れや変形による身体的負担を軽減するために、尚且つ、スト―マ袋カバー布のクリーニングによる変形や耐久性向上のために考案するものである。
【課題を解決するための手段】
【０００５】伸縮性のある表布全体に、更に伸縮性の有る接着芯を張って強度を補い、スト―マ袋が肌に直接触れる部分を少なくするために袋布を大きくし、排泄物（特に水様性便）が溜った時の膨らみ、重さによる変形と体への負担を軽減するために、肌に接する側の袋カバーの上端を軽くカーブさせたウェストベルトまで伸ばし、しっかり挟み込んで縫い止め、装着時のスト―マ袋の揺れや漏れを防ぎ、安定感を補強したスト―マ袋スマートケアカバーを提供する。
【発明の効果】
【０００６】装着時のフィット感に優れ、排泄物が溜った場合の変形による外観も気にならず、活動に支障のない安定感のあるスト―マ袋スマートケアカバーである。接着芯効果でクリーニングによる変形劣化も防ぐ事が出来る。
【図面の簡単な説明】
【０００７】
【図１】本発明の正面を表す斜視図
【図２】本発明の裏面を表す斜視図
【発明を実施するための形態】
【０００８】以下、本発明の実施の形態を説明する。
（イ）装着した時に馴染み易くする為に、伸縮性のある表布全体に伸縮性のある接着芯を張って一体化して補強する。
（ロ）腰帯部分（１）は体に固定し易いように、腰部に沿って軽くカーブさせたベルトとする。
（ハ）スト―マ袋カバー布（７）の裏面部分の上部（２）をカーブベルト（１）に挟み込んで縫い、排せつ物が溜まった場合に揺れたり垂れ下がらないようにしっかり固定させる。
（ニ）カーブベルトの上前先端には幅広の面ファスナー（３）を付け、下前には上前よりも長い面ファスナー（４）を張る事により、腰回りのサイズ調節可能とする。
（ホ）カーブベルトウェスト打ち合わせは使用者の希望によって、左前右前を使い勝手の良い方を選べることとする。
（ヘ）スト―マ袋（９）が肌に接触する部分を少なくするために、裏側袋布の刳り（６）を浅くし、カバー布（７）の形状はスト―マ袋（９）の形状に合わせ、カバー布の中でスト―マ袋（９）が弛まない程度の長さと開放口（５）を設け、排出口（８）を出せるようにする。
本発明は以上のような構造である。
本発明を使用するときは、スト―マ袋（９）をカバー布（７）の裏面刳り（６）部分から挿入し、解放口（５）から排出口（８）を出す。
カーブベルトを腰部の安定するところに装着し、面ファスナーで腰回りのサイズに合わせて固定させる。
【符号の説明】
【０００９】１カーブベルト布、２カバー布裏面上端、３面ファスナー、４面ファスナー、５開放口、６カバー布裏面刳り上端、７カバー布、８排出口、９ストーマ袋
【図１】
2013240565.tif 000003
【図２】
2013240565.tif 000004